(57)【要約】【課題】  あお向けになって横たわった状態で尻の下に敷き、尻の凝りを解消すると共に、骨盤の開きを抑制することが出来る尻の押圧パットの提供。【解決手段】  中央部１には凹状の窪みを設け、該中央部１の両側には凸状の膨らみ部２ａ，２ｂを形成し、該膨らみ部２ａ，２ｂは底ベース３に縫い付けた閉じた袋４ａ，４ｂに無数の細かいビーズ５，５・・・などの内材を充填している。【選択図】    図１
2020039835.tif 000002
【特許請求の範囲】
【請求項１】
あお向けになって横たわった状態で尻の下に敷き、尻の凝りを解消すると共に、骨盤の開きを抑制することが出来る尻の押圧パットにおいて、中央部には凹状の窪みを設け、該中央部の両側には凸状の膨らみ部を形成し、該膨らみ部は底ベースに縫い付けた閉じた袋に無数の細かいビーズなどの内材を充填したことを特徴とする尻の押圧パット。
【請求項２】
上記凹状の窪みは底ベース面を表面化して凹部を形成した請求項１記載の尻の押圧パット。
【請求項３】
上記凹状の窪みに、ビーズなどの内材を充填した袋を底ベースに縫い付けた請求項１、又は請求項２記載の尻の押圧パット。
【請求項４】
上記膨らみ部の上面を滑らかな凸状形状とした請求項１、請求項２、又は請求項３記載の尻の押圧パット。
【請求項５】
上記膨らみ部の上面を外側を高くした傾斜面とした請求項１、請求項２、請求項３、又は請求項４記載の尻の押圧パット。
【請求項６】
上記膨らみ部を構成する袋の一部にファスナーなどを設け、該袋の一部を開口可能とした請求項１、請求項２、請求項３、請求項４、又は請求項５記載の尻の押圧パット。
【発明の詳細な説明】
【技術分野】
【０００１】
本発明は仰向けに横たわった状態で寝る場合に、尻の筋肉を押えて緊張を緩和し、骨盤の開きを抑制することが出来る尻の押圧パットに関するものである。
【背景技術】
【０００２】
肩が凝ったり、首が凝ったりするのと同じように、尻も凝り、その為に尻を時々マッサージしたり指圧することで尻の凝りを解消することが必要となる。尻が重く感じたり、また尻が痛く感じる場合には、尻の凝りが原因であることが多い。
ところで、尻が凝る原因は色々あるが、その大きな要因としては骨盤が原因であることが多い。
尻が凝る原因は色々あるが、主な原因として次のようなものが考えられる。
【０００３】
（ａ）すなわち、骨盤に歪が生じると筋肉が常に張っている状態となって、尻に凝りが生じる。
（ｂ）長時間のデスクワークで座りっぱなしの状態では尻は凝り、これは血の巡りを悪くすることによる。すなわち、尻は柔軟性と血流が重要である。
（ｃ）椅子に浅く座って、背をもたれている状態になると尻にも腰にも強い負担が掛かり、尻が凝る。
（ｄ）座っている状態での左右のバランスが悪かったり、寝ている時の姿勢が悪いと尻が凝る。すなわち、寝ている時に片側ばかりに体重が乗っていたり、うつ伏せになって寝ていると尻が凝る。
（ｅ）歩きっぱなしや立ちっぱなしでは筋肉疲労が起きるので、尻が凝ってしまう。
【０００４】
このように、色々な原因で尻は凝るが、尻が凝ると坐骨神経痛、冷え性、骨盤の歪み、下半身デブ、肩こり・腰痛、ストレスが生じる。
そこで、尻の凝りを抑制する対策としては、従来から、尻のストレッチを行い、もみほぐしのマッサージをしたり、また筋力トレーニングなどが効果的とされている。
【０００５】
実用新案登録第３１９０４７９号に係る「袋状カバーを設けた伸縮性凸状部を有するクッション」は、柔軟性のあるシートに埋め込まれた腰部、尻部に当てることで快適性をもたらし、凝りを解す袋状カバーを設けた伸縮性凸状部を有するクッションである。
円錐状の伸縮性凸状部であるクッションと、凸状部であるクッションの一部に係止機能を有する固定台を柔軟性のある発泡性高分子の上層シート内に埋め込み、円錐状の伸縮性凸状部であるクッションを上層シートの上面になるよう組み込んでいる。
【０００６】
特開２００２−８５５１６号に係る「健康具」は、自分の体重を利用して体力、年齢に合わせて自分自身でコントロールしながら無理なく首、背中、腰、尻、脚等をフレキシブルに動かして全身の凝りや疲れを揉みほぐすと共に、骨盤や背骨のずれ、曲がり、ひずみ等が矯正出来る。
すなわち、上下、左右、前後、回転の動きが複合で身体に作用するように、身体を載せる身体載台の下面中央部に球面状的な凸部を設けて、身体載台をフリー状態にし、どの方向にも傾けられる構造であり、また、身体載台の表面にツボ刺激や指圧を目的とする突起物を複数設けている。
【特許文献１】実用新案登録第３１９０４７９号に係る「袋状カバーを設けた伸縮性凸状部を有するクッション」
【特許文献２】特開２００２−８５５１６号に係る「健康具」
【発明の開示】
【発明が解決しようとする課題】
【０００７】
このように、尻の筋肉をほぐす健康具などは色々知られている。本発明が解決しようとする課題は尻の筋肉の緊張緩和であり、また骨盤の開きを抑制することが出来るように構成した尻の押圧パットを提供する。
【課題を解決するための手段】
【０００８】
本発明に係る尻の押圧パットは、あお向けに成って横たわることで尻周りの筋肉をほぐすと共に、骨盤の開きを抑制することが出来るようにしたものである。
そこで、中央には凹状の窪みを設け、該凹状窪みの両側には膨らみ部を有している。該膨らみ部は閉じた袋を底ベース上に形成し、この袋には細かいビーズ、他の粒子、又は綿などの内材が充填されている。
【０００９】
したがって、ビーズなどの内材が充填された袋の形状は変化し、特に上面に圧力が作用するならば、窪み変形することが出来る。すなわち、尻の形状になじんだ窪みとなるが、しかし、窪み変形するにはビーズなどの内材が流れ移動することが必要であり、各ビーズなの内材の移動に伴う摩擦によって、ある程度の抵抗がある。水や空気を充填している袋とは違い、押圧変形に伴う抵抗が発生し、この抵抗に基づいて尻に押圧力が働く。
ここで、中央部は凹部と成っているが、底ベースを直接露出したり、又はこの凹分も内材を充填した袋を縫い付ける場合もある。
【発明の効果】
【００１０】
本発明に係る尻の押圧パットは、中央部に凹状の窪みを有し、該窪みの両側には凸状に盛り上がった膨らみを形成している。
そこで、このパットの中央部窪みに尻を置いてあお向けに横たわるならば、尻の大殿筋は両側に設けている膨らみ部に載り、その結果、大殿筋は下から持ち上げられる。すなわち、大殿筋は適度な力で押圧されてリラックス効果が得られる。
【００１１】
膨らみ部は閉じた袋に細かいビーズなどの内材を充填したものであり、膨らみに尻が載るならば、充填した無数の細かいビーズなどの内材は上から作用する圧力にて周囲へ、特に外方向へ流されるが、内材間の摩擦抵抗によって大殿筋は押圧される。したがって、大殿筋の凝りは緩和され、また骨盤の開きを抑制する効果がある。尻の大殿筋が膨らみに載るならば、特に外側へ移動したビーズなどの内材によって、大殿筋には下側及び外方向からの押圧力が働き、骨盤の開き抑制の効果が得られる。
【図面の簡単な説明】
【００１２】
【図１】本発明に係る尻の押圧パットを示す実施例で、（ａ）は平面図、（ｂ）は断面図。
【図２】あお向け状態で横になって尻を尻の押圧パットに載せている状態。
【図３】尻の押圧パットを敷き、尻が尻の押圧パットの膨らみ部に載っている状態。
【図４】尻の押圧パットを構成する膨らみ部の上面が傾斜している実施例。
【発明を実施するための形態】
【００１３】
図１は本発明に係る尻の押圧パットを示す実施例であって、（ａ）は平面図、（ｂ）は断面図である。同図に示す尻の押圧パットは平面図で見るように概略逆Ｕ形とし、中央部１には凹状の窪みを有し、該中央部１の両側にはある程度の厚みを持った凸状の膨らみ部２ａ，２ｂを有している。上記膨らみ部２ａ，２ｂは丈夫な生地から成る底ベース３に袋４ａ，４ｂが縫い合わされて形成され、この袋４ａ，４ｂには細かい無数のビーズ５，５・・・が充填されている。
【００１４】
したがって、上記膨らみ部２ａ，２ｂは上方に凸状の盛り上がりを作って所定の形状に保たれているが、上から圧力（押圧力）が作用するならば、その圧力に応じてその形状は変化することが出来る。
この尻の押圧パットは床面に敷かれ、その上には尻が載るが、上記膨らみ部２ａ，２ｂに尻が載ることで作用する押圧力によって膨らみ部２ａ，２ｂは変形することが出来る。
【００１５】
図２は本発明に係る尻の押圧パットＡを尻の下に敷いてあお向け状態で横たわっている場合を示している。また、同図は背中上部の下には肩甲骨支持パットＢを敷いており、尻の凝りを取り除き、同時に肩甲骨の凝りを緩和することが出来、またリラックス効果が得られる。
ここで、肩甲骨支持パットＢは尻の押圧パットＡとはその形状を異にし、肩甲骨の凝りを緩和するに適した形状としている。
同図に示すように、尻の押圧パットＡの膨らみ部２ａ，２ｂは尻から外方向に大きくはみ出し、肩甲骨支持パットＢの先端部は肩甲骨から外方向へ大きくはみ出している。
【００１６】
図３は尻６が尻の押圧パットＡの上に載っている場合の詳細図である。このように尻６が載ることで、膨らみ部２ａ，２ｂに押圧力が働いて押し潰され、尻６の形状になじんで変形する。尻６が載ることで膨らみ部２ａ，２ｂが潰され、潰される膨らみ部２ａ，２ｂからの反力Ｐが尻６に作用する。
膨らみ部２ａ，２ｂを構成している袋４ａ，４ｂの内部には無数の細かいビーズ５，５・・・が充填されており、尻６が載ることで上からの押圧力が働き、袋４ａ，４ｂに充填されている細かいビーズ５，５・・・は流れ移動する。
【００１７】
しかし、上記ビーズ５，５・・・は互いの接触摩擦に基づいて流れ移動に抵抗があり、尻６には押圧力の反力Ｐが働く。すなわち、エアーや液体が充填されている袋の上に載るのとは違い、上記押圧力は尻６の大殿筋に指圧する場合のように働き、その為に尻６の凝りは解消され、また骨盤の開きが抑制される。
本発明に係る尻の押圧パットＡは、その中央部１が凹状に窪み、両側に凸状の膨らみ部２ａ，２ｂを形成していることで、尻６の大殿筋には比較的外側から作用する。
【００１８】
ところで、中央部の両側に設けている膨らみ部２ａ，２ｂは、前記図１に示すような滑らかな円弧面に限るものではない。例えば、図４に示すような膨らみ部７ａ，７ｂとすることも出来る。該膨らみ部７ａ，７ｂの上面８ａ，８ｂは中央部から外側へ向いて高くなるように傾斜している。そこで、この膨らみ部７ａ，７ｂに尻６を載せるならば、斜め外側から押圧力が働き、尻６の凝りは解消され、同時に骨盤の開きが抑制される。
図１に示す実施例では、中央部の凹部１は底ベース３が表面化した形態としているが、この凹部１にもビーズなどの内材を充填した袋を縫い付けて構成することも出来る。ただし、凹部１であるので両側の膨らみ部２ａ，２ｂに比較して窪んでいる。
【符号の説明】
【００１９】
１   中央部
２   膨らみ部
３   底ベース
４   袋
５   ビーズ
６   尻
７   膨らみ部
８   上面
【図１】
2020039835.tif 000003
【図２】
2020039835.tif 000004
【図３】
2020039835.tif 000005
【図４】
2020039835.tif 000006